(57)【特許請求の範囲】
【請求項１】
穿くようにして着用され少なくとも身体の腰部と下腹部と臀部とを覆う衣料であって、
前記腰部における少なくとも左右の骨盤夫々を覆うように配設された第１の強緊迫部と、少なくとも前記下腹部における左右両側夫々を覆うように配設された第２の強緊迫部とを備え、
前記第１及び第２の強緊迫部は、それら以外の他の部分よりも伸長応力が強くなるように構成され、
前記第１の強緊迫部は、前記腰部の周方向に延ばされた帯状の主部と、その主部よりも伸長応力が弱い副部とを備え、
前記副部は、前記主部の上方側に、その長手方向に沿って配設されていることを特徴とする衣料。
【請求項２】
前記第１の強緊迫部は、前記腰部の周方向に延ばされた帯状のものに形成されているとともに、前部側においてその長手方向の端部同士が互いに所定の距離をもって対向するように配設され、
前記端部同士の間に、それらの端部夫々に連結されるようにして配設され前記他の部分の一部を構成する下腹押さえ部が設けられていることを特徴とする請求項１記載の衣料。
【請求項３】
前記第２の強緊迫部は、前記下腹部の左側部に当たる帯状の左下腹当て片と、前記下腹部の右側部に当たる帯状の右下腹当て片とを備え、
これらの左下腹当て片と右下腹当て片とは、夫々、その一端が、前記第１の強緊迫部の下端に連結され、他端同士が互いに所定の距離をもって対向するように配設され、
前記下腹押さえ部は、下方側に行くに従って漸次左右方向の幅が狭くなるように構成されているとともに、その下方部が、前記他端同士の間に、それらの他端夫々に連結されるようにして配設されていることを特徴とする請求項２記載の衣料。
【請求項４】
前記右下腹当て片と第１の強緊迫部と下腹押さえ部とによって、右間隙が区画形成されているとともに、前記左下腹当て片と第１の強緊迫部と下腹押さえ部とによって、左間隙が区画形成され、
前記右間隙には、下腹押さえ部よりも伸長応力の弱い右間隙被覆部が設けられているとともに、前記左間隙には、下腹押さえ部よりも伸長応力の弱い左間隙被覆部が設けられていることを特徴とする請求項３記載の衣料。
【請求項５】
前記衣料は、身体の左右の臀部夫々を包み込む臀部包み込み部と、それらの臀部包み込み部夫々の周部に配設され臀部の周部に当てる臀部周当て部と、臀部包み込み部の下端と第２の強緊迫部との間に配設された臀部受け部とを、更に備え、
前記臀部周当て部は、前記臀部包み込み部及び臀部受け部よりも伸長応力が強くなるように構成されているとともに、前記臀部受け部は、前記臀部包み込み部よりも伸長応力が強くなるように構成されていることを特徴とする請求項１〜４のいずれか一項に記載の衣料。
【請求項６】
前記第１及び第２の強緊迫部は、前記他の部分と異なる編み方で編まれ、もしくは異なる素材を用い、又はそれらを組み合わせることによって形成されることにより、当該他の部分よりも伸長応力が強くなるように構成されていることを特徴とする請求項１〜５のいずれか一項に記載の衣料。
【発明の詳細な説明】
【技術分野】
【０００１】
本願発明は、穿かれるようにして着用され少なくとも身体の腰部と下腹部と臀部とを覆うパンツ等の衣料に関するものである。
【背景技術】
【０００２】
従来から、穿かれるようにして着用され少なくとも身体の腰部と下腹部と臀部とを覆う衣料として、例えば腹部にかかる緊迫力と、ヒップなどの腹部以外の箇所にかかる緊迫力とを連動させることにより、相乗的に体型補正機能を向上させた、ガードル等の衣料が提案されている（特許文献１）。
【特許文献１】特開２００４―３３９６２３号公報
【発明の開示】
【発明が解決しようとする課題】
【０００３】
しかしながら、特許文献１のものでは、歩く姿勢まで良くできるというものではない。
【０００４】
本願発明は、体型を補正でき、しかも、歩く姿勢を良くできる衣料を提供することを目的とする。
【課題を解決するための手段】
【０００５】
本願発明は、次の特徴を有するものを提供することにより、上記課題を解決する。本願の請求項１記載の発明は、穿くようにして着用され少なくとも身体の腰部と下腹部と臀部とを覆う衣料であって、前記腰部における少なくとも左右の骨盤夫々を覆うように配設された第１の強緊迫部と、少なくとも前記下腹部における左右両側夫々を覆うように配設された第２の強緊迫部とを備え、前記第１及び第２の強緊迫部は、それら以外の他の部分よりも伸長応力が強くなるように構成され、前記第１の強緊迫部は、前記腰部の周方向に延ばされた帯状の主部と、その主部よりも伸長応力が弱い副部とを備え、前記副部は、前記主部の上方側に、その長手方向に沿って配設されていることを特徴とする衣料である。
【０００７】
請求項２記載の発明は、前記第１の強緊迫部が、前記腰部の周方向に延ばされた帯状のものに形成されているとともに、前部側においてその長手方向の端部同士が互いに所定の距離をもって対向するように配設され、前記端部同士の間に、それらの端部夫々に連結されるようにして配設され前記他の部分の一部を構成する下腹押さえ部が設けられていることを特徴とする。
【０００８】
請求項３記載の発明は、前記第２の強緊迫部が、前記下腹部の左側部に当たる帯状の左下腹当て片と、前記下腹部の右側部に当たる帯状の右下腹当て片とを備え、これらの左下腹当て片と右下腹当て片とは、夫々、その一端が、前記第１の強緊迫部の下端に連結され、他端同士が互いに所定の距離をもって対向するように配設され、前記下腹押さえ部は、下方側に行くに従って漸次左右方向の幅が狭くなるように構成されているとともに、その下方部が、前記他端同士の間に、それらの他端夫々に連結されるようにして配設されていることを特徴とする。
【０００９】
請求項４記載の発明は、前記右下腹当て片と第１の強緊迫部と下腹押さえ部とによって、右間隙が区画形成されているとともに、前記左下腹当て片と第１の強緊迫部と下腹押さえ部とによって、左間隙が区画形成され、前記右間隙には、下腹押さえ部よりも伸長応力
の弱い右間隙被覆部が設けられているとともに、前記左間隙には、下腹押さえ部よりも伸長応力の弱い左間隙被覆部が設けられていることを特徴とする。
【００１０】
請求項５記載の発明は、前記衣料が、身体の左右の臀部夫々を包み込む臀部包み込み部と、それらの臀部包み込み部夫々の周部に配設され臀部の周部に当てる臀部周当て部と、臀部包み込み部の下端と第２の強緊迫部との間に配設された臀部受け部とを、更に備え、前記臀部周当て部は、前記臀部包み込み部及び臀部受け部よりも伸長応力が強くなるように構成されているとともに、前記臀部受け部は、前記臀部包み込み部よりも伸長応力が強くなるように構成されていることを特徴とする。
【００１１】
請求項６記載の発明は、前記第１及び第２の強緊迫部が、前記他の部分と異なる編み方で編まれ、もしくは異なる素材を用い、又はそれらを組み合わせることによって形成されることにより、当該他の部分よりも伸長応力が強くなるように構成されていることを特徴とする。
【発明の効果】
【００１２】
本願の請求項１記載の発明によれば、第１の強緊迫部によって、身体の腰部の骨盤（腰骨）及びその近傍の筋肉をサポートできる。これにより、例えば骨盤近傍の筋力が弱く自然な歩行姿勢で歩き難い人でも、自然ときれいな姿勢で歩くことができる。又、第２の強緊迫部によって、下腹部における左右両側夫々の筋肉をサポートでき、第１の強緊迫部と相まって、より一層、きれいな姿勢で歩くことができる。
【００１３】
一方、第２の強緊迫部によって、下腹部における左右両側部分を押さえることができ、きれいな体型に補正できる。
【００１４】
又、第１の強緊迫部は、主部よりも伸長応力の弱い副部が、主部の上方側に配設されているため、穿き易いものにできる。又、着用後は、骨盤近傍を局部的に強く押さえるようなことを防止でき、かゆみや痛みなどが発生し難いものにできるとともに、徐々に下から上へと段階的に押さえることができ、違和感のないものにできる。
【００１５】
又、主部と副部とによって第１の強緊迫部の全体を帯状のものとするため、骨盤及びその近傍の筋肉をサポートでき、より一層、きれいな姿勢で歩くことができる。
【００１６】
請求項２によれば、帯状からなる第１の強緊迫部の端部同士の間に、第１の強緊迫部よりも伸長応力の弱い下腹押さえ部が設けられているため、穿き易いものにできる。又、例えば下腹押さえ部を、ある程度、伸長応力の強いものに形成しておけば、着用後、下腹を押さえることができ、きれいな体型にできる。
【００１７】
請求項３によれば、下腹押さえ部は、下方側に行くに従って漸次左右方向の幅が狭くなるように構成されているとともに、その下方側が、第２の強緊迫部の左下腹当て片と右下腹当て片との間に配設されているため、着用した場合に違和感のないものにできる。従って、きれいな姿勢で歩くことができる。
【００１８】
請求項４によれば、右下腹当て片と第１の強緊迫部と下腹押さえ部とによって区画形成された右間隙には、下腹押さえ部よりも伸長応力の弱い右間隙被覆部が設けられ、左下腹当て片と第１の強緊迫部と下腹押さえ部とによって区画形成された左間隙には、下腹押さえ部よりも伸長応力の弱い左間隙被覆部が設けられているため、身体を屈曲し易くできる。
【００１９】
請求項５によれば、臀部周当て部は、前記臀部包み込み部及び臀部受け部よりも伸長応
力が強くなるように構成されているため、臀部周当て部によって、臀部の周部を押さえるようにして臀部包み込み部に臀部を入れることができる。又、臀部包み込み部に入れた臀部を、臀部受け部によって下方側から持ち上げるようにして受けることができる。これにより、臀部をきれいな形にして保持できる。
【００２０】
請求項６によれば、第１及び第２の強緊迫部は、他の部分と異なる編み方で編まれ、もしくは異なる素材を用い、又はそれらを組み合わせることによって形成されることにより、当該他の部分よりも伸長応力が強くなるように構成されているため、製作容易なものにでき、低コストで製作できる。
【発明を実施するための最良の形態】
【００２１】
以下、本願発明を実施するための最良の形態について、図面を参照しながら詳細に説明する。
【００２２】
図１は、本願発明の衣料の一実施の形態のパンツの前方側から見た斜視図、図２は、そのパンツの後方側から見た斜視図、図３は、そのパンツの正面図、図４は、そのパンツの背面図、図５は、そのパンツの側面図である。
【００２３】
この実施形態のパンツは、上下中央よりやや上側に配設された第１の強緊迫部としての帯状の骨盤当て部１と、前面側の左右両側夫々に配設された右下腹当て片３ａ及び左下腹当て片３ｂとを備えている。これらの骨盤当て部１、右下腹当て片３ａ及び左下腹当て片３ｂは、それら以外の他の部分よりも伸長応力が強くなるように構成されている。
【００２４】
骨盤当て部１は、着用に際して身体の腰部における少なくとも左右夫々の骨盤（腰骨）を覆うようにして骨盤近傍の筋肉に当てる部分で、この実施形態では、１つの所定幅の帯状のものから構成され、身体の腰部に、前部の一部を除く全周に渡って配設されている。
【００２５】
又、この実施形態の骨盤当て部１は、帯状の主部１１と、主部１１の上方側に、主部１１よりも細幅の帯状に形成された副部１２とにより構成されている。又、主部１１と副部１２とは、次のように編まれることによって形成されている。
【００２６】
主部１１と副部１２とは、同じ糸使いとされている。詳しくは、図６、図７に示すように、第１コース及び第５コースに、ウーリーナイロン糸が用いられ、第２コース及び第６コースに、シングルカバードヤーンと、上記ウーリーナイロン糸とが用いられている。
【００２７】
又、第３コース及び第７コースに、ナイロン生糸が用いられ、第４コース及び第８コースに、上記シングルカバードヤーンと、ウーリーナイロン糸とが用いられている。
【００２８】
そして、これらの第１コース〜第８コースに用いられた８コースの糸使いを１組とし、順次下方側に繰り返し用いられている。なお、このナイロン生糸は、上記ウーリーナイロン糸やシングルカバードヤーンに比して弾性率の小さい糸である。
【００２９】
次に、編み方は、主部１１と副部１２とで異なる。詳しくは、主部１１は、図６に示すように、第１コース〜第６コース、及び第８コースは、順次右方向に、フロート編みを２回繰り返してプレーン編みを１回入れるようにして編まれている。
【００３０】
第７コースは、プレーン編みを２回繰り返してフロート編みを１回入れるようにして編まれている。そして、これらの第１コース〜第８コースまでの８コース分の編み方を１組とし、順次下方側に繰り返して編まれている。
【００３１】
一方、副部１２は、図７に示すように、第１、第２、第４〜第６及び第８コースは、フロート編みを２回繰り返してプレーン編みを１回入れるようにして編まれ、第３及び第７コースは、プレーン編みを２回繰り返してフロート編みを１回入れるようにして編まれている。そして、これらの第１コース〜第８コースまでの８コース分の編み方を１組とし、順次下方側に繰り返して編まれている。
【００３２】
次に、右下腹当て片３ａと左下腹当て片３ｂとについて、説明する。右下腹当て片３ａと左下腹当て片３ｂとは、第２の強緊迫部を構成するもので、図１、図３に示すように、左右一対をなし、夫々、帯状片から構成されている。これらの右下腹当て片３ａ及び左下腹当て片３ｂは、その一端が上記骨盤当て部１の下端部及び後述の臀部周当て部２の端部に連結され、その他端が下前方側に延ばされており、着用に際し、身体の骨盤下部から左下腹、右下腹夫々にかけての部分を覆って当たるように構成されている。
【００３３】
又、右下腹当て片３ａは、この実施形態では、次のようにして編まれている。まず、糸使いは、図１１に示すように、第１コース及び第５コースに、綿糸と、上記ウーリーナイロン糸が用いられている。第２コース、第４コース、第６コース及び第８コースに、上記シングルカバードヤーンとウーリーナイロン糸とが用いられ、又、第３コース及び第７コースに、上記ウーリーナイロン糸が用いられている。
【００３４】
そして、これらの第１コース〜第８コースに用いられた８コース分の糸使いを１組とし、順次下方側に繰り返し用いられている。なお、この糸使いは、以下の全ての部分（上記骨盤当て部１を除く全ての部分）において同じである。従って、以下の各部の説明において、糸使いの説明は省略する。
【００３５】
編み方は、図１１に示すように、第１コース、第３コース、第５コース及び第７コースは、フロート編みを５回繰り返してプレーン編みを１回入れるようにして編まれている。第２コース、第４コース、第６コース及び第８コースは、全てプレーン編みで編まれている。そして、上記８コース分の編み方を１組とし、順次下方側に繰り返して編まれている。
【００３６】
左下腹当て片３ｂは、右下腹当て片３ａと同じ編み構成を採っている。
【００３７】
また、図１、図３に示すように、これらの右下腹当て片３ａと左下腹当て片３ｂとの間、且つ、上記骨盤当て部１の長手方向の両端の間に、身体の下腹部における左右中央部に当てる中緊迫部としての下腹押さえ部４が設けられている。
【００３８】
この下腹押さえ部４は、右下腹当て片３ａ、左下腹当て片３ｂ、及び骨盤当て部１夫々に連結されるようにして配設されている。又、この実施形態の下腹押さえ部４は、下方側に行くに従って漸次左右方向の幅が狭くなるように形成されている。
【００３９】
この下腹押さえ部４は、図１２に示すように、上記右下腹当て片３ａ等のように第１コースから第８コースの編み方を１組にした繰り返しとはされず、フロート編みとプレーン編みとを所定の割合にして編まれている。
【００４０】
又、この下腹押さえ部４が、骨盤当て部１、右下腹当て片３ａ及び左下腹当て片３ｂに連結されることにより、図１、図３に示すように、下腹押さえ部４と骨盤当て部１と右下腹当て片３ａとによって右間隙６が区画形成されているとともに、下腹押さえ部４と骨盤当て部１と左下腹当て片３ｂとによって左間隙７が区画形成されている。
【００４１】
右間隙６には、右間隙被覆部６１が設けられ、左間隙７には、右間隙被覆部７１が設けられている。これらの右間隙被覆部６１と右間隙被覆部７１とは、左右対称に配設されて左右一対をなしている。
【００４２】
又、これらの右間隙被覆部６１と右間隙被覆部７１とは、図１３に示すように、第１コースから第８コースの編み方を１組にした繰り返しとはされず、フロート編みとプレーン編みとを所定の割合にして編まれている。又、このようにして編まれることによって、右間隙被覆部６１と右間隙被覆部７１とは、裏表方向に凹凸を有するものとされている（図１、図３では、凹凸を表していない）。
【００４３】
又、この実施形態のパンツの後面側には、身体の左右の臀部夫々を受容する２つの臀部受容部５と、臀部受容部５夫々の周部に配設され臀部の周部に当てる臀部周当て部２とを備えている。
【００４４】
この臀部周当て部２は、この実施形態では、下方側に突設された２つの湾曲部２１を有する帯状のものからなる。そして、臀部周当て部２における長手方向の両端部及び中間部が骨盤当て部１の下端に連結されることにより、臀部周当て部２と骨盤当て部１とで２つの臀部受容部５を区画形成している。これにより、臀部周当て部２が、臀部受容部５夫々の周部に配設され、着用に際して身体の左右の臀部夫々の周部に当たることができるようになっている。
【００４５】
この臀部周当て部２は、図８に示すように、第１コース、第３コース、第５コース及び第７コースは、フロート編みを２回繰り返してプレーン編みを１回入れるようにして編まれている。第２コース、第４コース、第６コース及び第８コースは、全てフロート編みで編まれている。そして、上記８コース分の編み方を１組とし、順次下方側に繰り返して編まれている。
【００４６】
臀部用受容部５は、夫々、図２、図４に示すように、臀部を包み込む袋状の臀部包み込み部５１と、臀部包み込み部５１の下方側に配設され受容した臀部を下方側から受ける臀部受け部５２とを備えている。
【００４７】
臀部包み込み部５１は、図１０に示すように、第１コース、第３コース、第５コース及び第７コースは、全てプレーン編みで編まれている。第２コース、第６コースは、プレーン編みから開始されプレーン編みとフロート編みとが交互になるように編まれている。第４コース及び第８コースは、フロート編みから開始されフロート編みとプレーン編みとが交互になるように編まれている。そして、上記８コース分の編み方を１組とし、順次下方側に繰り返して編まれている。
【００４８】
一方、臀部受け部５２は、図９に示すように、第１コース、第３コース、第５コース及び第７コースは、フロート編みから開始されフロート編みとプレーン編みとが交互になるように編まれている。第２コース、第４コース、第６コース及び第８コースは、全てプレーン編みで編まれている。そして、上記８コース分の編み方を１組とし、順次下方側に繰り返して編まれている。
【００４９】
又、この実施形態のパンツの下部には、図１〜図５に示すように、股下被覆部８が設けられているとともに、パンツの上部には、筒状の腰上当て部９が設けられている。
【００５０】
この股下被覆部８は、夫々、身体の股部から大腿部の内側部分にかけての部分に当てる股下当て部８１と、身体の大腿部の内側部分に当てる大腿内当て部８２と、大腿部の前側の部分に当てる大腿前当て部８３と、大腿部の外側から後側にかけての部分に当てる大腿後当て部８４と、それらの下方に配設された裾部８５とを備えている。
【００５１】
股下当て部８１は、図１５に示すように第１コース及び第５コースが、プレーン編みから開始されプレーン編みとフロート編みとが交互になるように編まれている。第２コース、第４コース、第６コース及び第８コースは、全てプレーン編みで編まれている。第３コース及び第７コースは、フロート編みから開始されフロート編みとプレーン編みとが交互になるように編まれている。そして、上記８コース分の編み方を１組とし、順次下方側に繰り返して編まれている。
【００５２】
大腿内当て部８２は、図１８に示すように、第１コースから第８コースの編み方を１組にした繰り返しとはされず、フロート編みとプレーン編みとを所定の割合にして順次下方側に編まれている。
【００５３】
大腿前当て部８３は、図１４に示すように、第１コース、第２コース、第４コース〜第６コース、及び第８コースは、フロート編みを２回繰り返しプレーン編みを１回入れるようにして編まれている。又、第３コース及び第７コースは、プレーン編みを２回繰り返しフロート編みを１回入れるようにして編まれている。そして、上記８コース分の編み方を１組とし、順次下方側に繰り返して編まれている。
【００５４】
大腿後当て部８４は、上記右間隙被覆部６１と同じように編まれている。又、裾部８５は、図１６に示すように、第１、第３、第５、第７コースが、全てプレーン編みで編まれ、第２、第４、第６、第８コースが、フロート編みを２回繰り返しプレーン編みを１回入れるようにして編まれている。そして、上記８コース分の編み方を１組とし、順次下方側に繰り返して編まれている。
【００５５】
腰上当て部９は、身体の腰より上の部分（腹部）に当てる部分で、上記右間隙被覆部６１と同じようにして編まれている。
【００５６】
又、この実施形態では、腰上当て部９の上方側に、筒状のゴム部１０が付設され、このゴム部１０によって、着用後、ずり落ち難いようになされている。なお、このゴム部１０は、図１７に示すように、第１、第３、第５、第７コースが、全てプレーン編みで編まれ、第２、第４、第６、第８コースが、フロート編みを３回繰り返しプレーン編みを１回入れるようにして編まれ、上記８コース分の編み方を１組とし、順次下方側に繰り返して編まれている。
【００５７】
次に、以上のように構成されたパンツの各部の伸長応力について、図１９を参照して以下に説明する。図１９は、パンツの後述する部分の伸長応力（伸長力）及び緊迫力についての測定データを示したもので、測定部は、骨盤当て部１の主部１１、臀部周当て部２、右下腹当て片３ａ、下腹押さえ部４、右間隙被覆部６、臀部包み込み部５１、大腿前当て部８３、及び大腿後当て部８４とした。なお、図１９では、上記符号を用いて測定部を明記している。
【００５８】
又、測定に際して、テストスピード（試験片を伸長する際の速度）を３００ｍｍ／ｍｉｎとし、試験片幅を２５ｍｍとした。また、試験片の掴み間隔は、製作した試験片の都合により、主部１１が６０ｍｍ、臀部周当て部２が５０ｍｍ、右下腹当て片３ａが４０ｍｍ、下腹押さえ部４が４０ｍｍ、右間隙被覆部６が６０ｍｍ、臀部包み込み部５１が４０ｍｍ、大腿前当て部８３が４０ｍｍ、大腿後当て部８４が１００ｍｍとした。
【００５９】
又、伸長応力は、試験片を左右方向（周方向、図１９のＸ−Ｘ方向）に３０％、８０％伸ばした際の測定値（３０％時伸長応力及び８０％時伸長応力）である。緊迫力は、試験片を左右方向に８０％伸ばした後、３０％伸ばした状態まで戻した際の測定値（３０％時緊迫力）である。
【００６０】
周方向の３０％時の伸長応力は、図１９に示すように、骨盤当て部１の主部１１が最も強く、次いで、右下腹当て片３ａ、臀部周当て部２、下腹押さえ部４、大腿後当て部８４、右間隙被覆部６、臀部包み込み部５１、大腿前当て部８３の順に強い。又、周方向の８０％時の伸長応力は、右下腹当て片３ａが最も強く、次いで、骨盤当て部１の主部１１、臀部周当て部２、下腹押さえ部４、右間隙被覆部６、大腿後当て部８４、臀部包み込み部５１、大腿前当て部８３の順に強い。
【００６１】
また、緊迫力は、図１９に示すように、骨盤当て部１の主部１１が最も強く、次いで、右下腹当て片３ａ、大腿後当て部８４、下腹押さえ部４、臀部周当て部２、右間隙被覆部６、臀部包み込み部５１、大腿前当て部８３の順に強い。
【００６２】
又、この測定データとして図１９に記載していないが、骨盤当て部１の副部１２の周方向の伸長応力（３０％時伸長応力及び８０％時伸長応力）及び緊迫力は、主部１１よりも弱く、主部１１、右下腹当て片３ａ及び左下腹当て片３ｂ以外の他の部分（大腿後当て部８４、下腹押さえ部４、臀部周当て部２、右間隙被覆部６、臀部包み込み部５１、大腿前当て部８３）よりも強かった。又、臀部受け部５２の周方向の伸長応力（３０％時伸長応力及び８０％時伸長応力）及び緊迫力は、臀部周当て部２よりも弱く、臀部包み込み部５１よりも強かった。
【００６３】
次に、このパンツの作用について説明する。本願発明のパンツを穿く場合は、一般的なパンツと同様に穿く。その際、緊迫力の強い骨盤当て部１が配設されているが、骨盤当て部１の端部同士の間に、それより緊迫力の弱い下腹押さえ部４が設けられているため、比較的容易に穿くことができる。
【００６４】
又、穿いて着用した後は、腰部における少なくとも左右の骨盤夫々を覆うように配設された第１の強緊迫部と、少なくとも下腹部における左右両側夫々を覆うように配設された第２の強緊迫部と、身体の臀部の周部を覆って当てる臀部周当て部２とを備え、第１及び第２の強緊迫部と臀部周当て部２とは、それら以外の他の部分よりも伸長応力および緊迫力が強くなるように構成されているため、身体の下腹部を、右下腹当て片３ａ及び左下腹当て片３ｂによって、上方に持ち上げるようにして押さえ、更には、そのように持ち上げた下腹部を、下腹押さえ部４によって押さえることができ、例えば出っ張って下方に垂れ下がり気味の下腹部を整えることができる。
【００６５】
また、身体の臀部を、臀部周当て部２によって、上方に持ち上げるようにして周部を押さえ、臀部を臀部包み込み部５１に入れることができる。又、臀部受け部５２によって、臀部を下方側から受けることができる。その際、臀部包み込み部５１、臀部受け部５２、臀部周当て部２の順に伸長応力及び緊迫力が強くなっているため、臀部をきれいな球状に近い形状に突出させた状態で受容できる。従って、例えば下方に垂れ下がり気味の臀部を、美麗な形に整えることができる。
【００６６】
一方、歩く場合は、骨盤当て部１によって、身体の腰部の骨盤及びその近傍を押さえ、骨盤近傍の筋肉をサポートできる。これにより、例えば骨盤近傍の筋力が弱く自然な歩行姿勢で歩き難い人でも、自然ときれいな歩行姿勢で歩くことができる。
【００６７】
しかも、臀部周当て部２によって、臀部の周部の筋肉をサポートできるとともに、右下腹当て片３ａ及び左下腹当て片３ｂによって、下腹部における左右両側夫々の筋肉をサポートでき、骨盤当て部１と相まって、より一層、きれいな姿勢で歩くことができる。
【００６８】
又、骨盤当て部１と右下腹当て片３ａと下腹押さえ部４との間、及び骨盤当て部１と左下腹当て片３ｂと下腹押さえ部４との間に、それらよりも伸長応力及び緊迫力の弱い右間隙被覆部６１、右間隙被覆部７１を夫々、設けているため、身体を屈曲させ易いものにできる。
【００６９】
また、右間隙被覆部６１、右間隙被覆部７１及び腰上当て部９が表裏側に凹凸を有するため、腹部の血行を良好なものにできる。
【００７０】
尚、上記実施形態では、第１の強緊迫部としての骨盤当て部１を、第２の強緊迫部を構成する右下腹当て片３ａ及び左下腹当て片３ｂよりも３０％伸長応力及び緊迫力の強いものとしているが、この形態のものに限らず、例えば骨盤当て部１の３０％伸長応力及び緊迫力を、右下腹当て片３ａ及び左下腹当て片３ｂの３０％伸長応力及び緊迫力と同じ又は弱いものとしても良く、適宜変更し得る。
【００７１】
又、右下腹当て片３ａと左下腹当て片３ｂとは、同じ伸長応力及び緊迫力のものに形成される形態のものに限らず、異なる伸長応力及び緊迫力のものに形成するようにしても良く、適宜変更できる。
【００７２】
また、上記実施形態では、骨盤当て部１を、主部１１と、副部１２とから構成しているが、この形態のものに限らず、例えば主部１１だけで構成し、または主部１１と副部１２との間に、主部１１よりも伸長応力が弱く、副部１２よりも伸長応力が強い中間層部を設けるようにしても良い。
【００７３】
又、上記実施形態では、骨盤当て部１を、１つの帯状のものから構成しているが、この形態のものに限らず、例えば分離した２つの帯状のものから構成し、或いは、２つの円形状等のものから構成してもよく、適宜変更できる。
【００７４】
また、骨盤当て部１を帯状のものから構成する場合において、その上下の幅は、骨盤近傍に当てることができる程度のものであれば良く、特に限定されないが、１０ｍｍ〜７０ｍｍが好ましい。１０ｍｍ以下になると、腰骨及びその近傍の筋力を十分にサポートできず歩行姿勢を良好にし難くなるとともに、長時間着用した場合にかゆくなる等のおそれが生じ、一方、７０ｍｍを超えると、穿き難くなるとともに、長時間着用した場合に圧迫感を与える等のおそれが生じるためである。
【００７５】
又、上記実施形態では、骨盤当て部１や右下腹当て片３ａ及び左下腹当て片３ｂと、それ以外の他の部分とを、編み方及び糸使いを変えることによって、骨盤当て部１や右下腹当て片３ａ及び左下腹当て片３ｂを、他の部分よりも伸長応力及び緊迫力の強いものに形成しているが、この形態のものに限らず、適宜変更できる。
【００７６】
例えば、伸長応力の強い糸を骨盤当て部１や右下腹当て片３ａ及び左下腹当て片３ｂに用い、伸長応力の弱い糸を他の部分に用いることによって、骨盤当て部１や右下腹当て片３ａ及び左下腹当て片３ｂを、他の部分よりも伸長応力の強いものに形成し、或いは、使用する糸と編み方との両方によって、骨盤当て部１や右下腹当て片３ａ及び左下腹当て片３ｂを、他の部分よりも伸長応力の強いものに形成しても良い。
【００７７】
又、上記実施形態では、フロート編みとプレーン編みとを所定の割合にして編んでいるが、フロート編みとプレーン編みとから構成する形態のものに限らず、適宜変更できる。又、フロート編みとプレーン編みとで編む場合において、両者の割合は、上記実施形態のものに限らず、適宜変更できる。
【００７８】
また、本願発明の衣料は、パンツとして実施されるものに限らず、例えばガードル等の下着の他、下着の上に穿くトレーニングパンツ等にも適用できる。
【図面の簡単な説明】
【００７９】
【図１】本願発明の一実施の形態のパンツの前方側から見た斜視図である。
【図２】そのパンツの後方側から見た斜視図である。
【図３】そのパンツの正面図である。
【図４】そのパンツの背面図である。
【図５】そのパンツの側面図である。
【図６】骨盤当て部の主部の編み略図である。
【図７】骨盤当て部の副部の編み略図である。
【図８】臀部周当て部の編み略図である。
【図９】臀部受け部の編み略図である。
【図１０】臀部包み込み部の編み略図である。
【図１１】右下腹当て片の編み略図である。
【図１２】下腹押さえ部の編み略図である。
【図１３】右間隙被覆部の編み略図である。
【図１４】大腿前当て部の編み略図である。
【図１５】股下当て部の編み略図である。
【図１６】裾部の編み略図である。
【図１７】ゴム部の編み略図である。
【図１８】大腿内当て部の編み略図である。
【図１９】各部の伸長応力等の測定データを表した図表である。
【符号の説明】
【００８０】
１    骨盤当て部（第１の強緊迫部）
２    臀部周当て部
３ａ    右下腹当て片
３ｂ    左下腹当て片
４    下腹押さえ部
５１    臀部包み込み部
５２    臀部受け部
【図１】
0005130063.tif 000002
【図２】
0005130063.tif 000003
【図３】
0005130063.tif 000004
【図４】
0005130063.tif 000005
【図５】
0005130063.tif 000006
【図６】
0005130063.tif 000007
【図７】
0005130063.tif 000008
【図８】
0005130063.tif 000009
【図９】
0005130063.tif 000010
【図１０】
0005130063.tif 000011
【図１１】
0005130063.tif 000012
【図１２】
0005130063.tif 000013
【図１３】
0005130063.tif 000014
【図１４】
0005130063.tif 000015
【図１５】
0005130063.tif 000016
【図１６】
0005130063.tif 000017
【図１７】
0005130063.tif 000018
【図１８】
0005130063.tif 000019
【図１９】
0005130063.tif 000020